(57)【要約】【課題】良好な照明効率を維持しつつも、簡易な構成により、文字板の照明ムラを軽減する。【解決手段】第１反射部３０１及び第２反射部３２を有する計器装置であって、第１反射部３０１にシボ面３０１ａや光沢面３０１ｂ等を形成することにより、第２反射部３２から文字板４に向かう光の輝度を均等化して、文字板４の照明ムラを軽減する。【選択図】      図１
2005024418.tif 000002
【特許請求の範囲】
【請求項１】
所定意匠が形成された文字板と、
前記文字板の背面側に配置された基板上に実装されて、前記文字板に背面側から照明するための光を出射する光源と、
前記基板上に実装されたムーブメントの回転軸を周回するように形成され、前記光源に対向し前記光源からの出射光を前記回転軸に対して外側方向に反射させる第１反射部と、
前記第１反射部から所定距離だけ離間して前記第１反射部を周回するように形成され、前記第１反射部による反射光を前記文字板方向に反射させる第２反射部と、
前記光源から出射され前記第１反射部上の異なる箇所で反射され前記第２反射部に反射されて前記文字板に向かう光の輝度を均等化するために、前記第１反射部に形成された均等化手段と、
を有することを特徴とする計器装置。
【請求項２】
請求項１記載の計器装置において、
前記均等化手段は、
前記第１反射部において、前記光源に最も近い箇所に形成された、前記光源からの出射光に対する拡散面又は吸収面である、
ことを特徴とする計器装置。
【請求項３】
請求項２記載の計器装置において、
前記均等化手段は、
前記シボ面又は穿孔面である、
ことを特徴とする計器装置。
【請求項４】
請求項１記載の計器装置において、
前記均等化手段は、
前記第１反射部において、前記光源に最も近い箇所以外に形成された、光沢面である、
ことを特徴とする計器装置。
【請求項５】
請求項４記載の計器装置において、
前記均等化手段は、
型磨面又は蒸着面である、
ことを特徴とする計器装置。
【請求項６】
請求項４記載の計器装置において、
前記均等化手段は、
前記第１反射部において、前記光源に最も近い箇所に形成された、前記光源から出射光に対する拡散面又は吸収面である、
ことを特徴とする計器装置。
【請求項７】
請求項１記載の計器装置において、
前記均等化手段は、
前記光源から前記第１反射部上の異なる箇所及び前記第２反射部上の異なる箇所をこの順に経由して文字板背面上の異なる箇所に至るまでの異なる光路の距離を均等化するために形成された、前記第１反射部上の凹凸面である、
ことを特徴とする計器装置。
【請求項８】
請求項７記載の計器装置において、
前記均等化手段は、
前記第１反射部において、前記光源に対向する箇所に凹面鏡状に形成された凹面である、
ことを特徴とする計器装置。
【請求項９】
請求項７記載の計器装置において、
前記均等化手段は、
前記第１反射部において、前記光源に対向する箇所以外に凸面鏡状に形成された凸面である、
ことを特徴とする計器装置。
【請求項１０】
請求項９記載の計器装置において、
前記均等化手段は、
前記第１反射部において、前記光源に対向する箇所に凹面鏡状に形成された凹面である、
ことを特徴とする計器装置。
【発明の詳細な説明】
【０００１】
【発明の属する技術分野】
本発明は、導光板や拡散板等の導光部材を用いることなく、文字板背面に形成された反射部を利用して、光源からの出射光を文字板背面に導いて文字板を照明するタイプの計器装置に関する。
【０００２】
【従来の技術】
近年、車両用計器等においては、小型化及び軽量化が進むにともない、導光板や拡散板等の導光部材を用いることなく、文字板の背面側に形成された反射部を利用して、光源からの出射光を文字板背面に導いて文字板を照明するタイプの計器装置が提案されている。このような計器装置の一例として、下記特許文献１に示されるものがある。
【０００３】
図５は、この種の従来の計器装置を示す断面図である。図６は、図５の計器装置における反射部材単体を示す斜視図である。図７は、図６の反射部材における第１反射部を拡大して示す斜視図である。ここで、図５に示す計器装置は、例えば、車両に搭載されるコンビネーションメータの一部であるスピードメータ部に用いられているものとする。図５は、スピードメータ部の指針軸を通る直線での断面図に相当する。なお、コンビネーションメータ自体は周知であるのでここではその説明は省略する。
【０００４】
図５に示すように、この計器装置のスピードメータ部においては、基板１の上に反射部材３が配置され、反射部材３の開口部には文字板４が装着され、更に文字板４上を回動する指針５が取り付けられている。
【０００５】
基板１上には、図５に示すように、文字板４を照明するための光を出射する光源２１や指針５を回転駆動させるムーブメント２２が実装されている。光源２１は、例えば、チップ型発光ダイオードからなり、基板１上に穿設された小孔１１を上に向けて貫通するムーブメント２２の回転軸２２ａを周回する同心円に、略均等間隔に複数個、配置されている。ムーブメント２２は、速度パルスに基づき生成された制御信号に応答して指針５を所定角度だけ回転させるステッピングモータからなる。基板１上には、その他の周知の電子回路部品も実装されているがここでは省略されている。
【０００６】
反射部材３は、図６及び図７にも示すように、白色系の合成樹脂にてケース状に形成されている。反射部材３は、文字板４の形状に対応して環状に形成された周壁部３３、この周壁部３３の一部から文字板４に沿うように中央部に延びる延長部３４、この延長部３４に支持されて文字板４の中央孔４２に対応した形状の開口部３６を有する筒状部３５、この開口部３６から所定間隔あけて周回する椀状の第１反射部３１、この第１反射部３１及び筒状部３５に対応して穿けられた円形状の開放部３７、延長部３４を除く周壁部３３の上側周縁から開放部３７に向けて傾斜するように形成された第２反射部３２から構成されている。第１反射部３１と第２反射部３２とは、光源２１からの出射光を効率的に文字板４の背面に導くことができる位置関係になるように形成されている。
【０００７】
文字板４は、透光性合成樹脂からなる薄型シートにて形成されている。文字板４は、図５に示すように、スピードを示す文字やメモリ等の意匠４１を形成する透光性着色部、これ以外のベースとなる黒色系塗装部から形成されている。また、その中央部には、ムーブメント２２の回転軸２２ａに対応する中央孔４２が穿設されている。
【０００８】
指針５は、図５に示すように、透光性合成樹脂からなる指示部５１、指示部５１の回転基部に覆設された黒色系樹脂からなる指針キャップ５２からなる。指示部５１には、回転基部の下面にて受光される光源２１からの光を先端方向に反射させるための反射面５１ａ、ムーブメント２２の回転軸２２ａが挿通される指針軸部５１ｂ、指示部５１の下面に形成されて指針を所定色で光輝させるためのホットスタンプ層（不図示）等も形成されている。
【０００９】
このような構成において、所定の点灯信号に応答して光源２１が点灯すると、光源２１からの出射光の一部は、上方に向かい指針基部に入射する。この光は、反射部５１ａで反射した後、指示部５１内部で反射を繰り返しつつ先端方向に進行して指針５を所定色で光輝させる。また、光源２１からの出射光は、文字板４の背面に直接入射したり、第２反射部３２だけで反射されて文字板４の背面に入射したり、或いは、第１反射部３１で反射された後第２反射部３２で再度反射されて文字板４の背面に入射する。これらの作用により、文字板４上に形成された意匠４１が効率的に照明される。
【００１０】
【特許文献１】
特許第３３０１０７７号公報
【００１１】
【発明が解決しようとする課題】
上述のように、光源２１からの直接光のみならず、反射部３１及び３２による反射光も利用して文字板４を照明することは、照明効率を向上させる効果はあるが、その一方で以下のような問題も発生する。すなわち、例えば、図７に示すように、光源２１から第１反射部上の異なる箇所Ｐ１及びＰ２までのそれぞれの距離Ｌ１１及びＬ２１と、上記箇所Ｐ１及びＰ２から第２反射部３２上の箇所Ｃ１及びＣ２までのそれぞれの距離Ｌ１２及びＬ２２との各合計、すなわち、距離Ｌ１１＋Ｌ１２と、距離Ｌ２１＋Ｌ２２と、の間に差が発生する。更には、これらに第２反射部３２から文字板４に至るまでの距離も加えた距離に差が発生する。なお、例えば、箇所Ｐ１は光源２１に最も近い第１反射部３１上の箇所とし、箇所Ｐ２は箇所Ｐ１以外の箇所とする。また、例えば、箇所Ｃ１及びＣ２はそれぞれ、箇所Ｐ１及びＰ２に最も近い第２反射部３２上の箇所とする。
【００１２】
このような距離差は、必然的に、箇所Ｃ１及びＣ２で反射して文字板４に向かう光の輝度差も発生させる。そうすると、箇所Ｃ１及びＣ２でそれぞれ反射して文字板４に入射する光にも輝度差が発生し、最終的に、文字板照明にムラが発生することになる。なお、上記例示した第１及び第２反射部における各箇所以外においても同様の作用が発生する。このような文字板照明のムラを軽減するためには、文字板４の背面に特殊な調光印刷を施したり、調光部材を設ける必要があり、そうすると、構造の複雑化やこれにともなうコスト高を招き好ましくない。
【００１３】
よって本発明は、上述した現状に鑑み、上記第１反射部及び第２反射部による良好な照明効率を維持しつつも、簡易な構成により、文字板の照明ムラを軽減することができる計器装置を提供することを課題としている。
【００１４】
【課題を解決するための手段】
上記課題を解決するためになされた請求項１記載の計器装置は、所定意匠が形成された文字板と、前記文字板の背面側に配置された基板上に実装されて、前記文字板に背面側から照明するための光を出射する光源と、前記基板上に実装されたムーブメントの回転軸を周回するように形成され、前記光源に対向し前記光源からの出射光を前記回転軸に対して外側方向に反射させる第１反射部と、前記第１反射部から所定距離だけ離間して前記第１反射部を周回するように形成され、前記第１反射部による反射光を前記文字板方向に反射させる第２反射部と、前記光源から出射され前記第１反射部上の異なる箇所で反射され前記第２反射部に反射されて前記文字板に向かう光の輝度を均等化するために、前記第１反射部に形成された均等化手段と、を有することを特徴とする。
【００１５】
請求項１記載の発明によれば、光源から出射され第１反射部上の異なる箇所で反射され第２反射部に反射されて文字板に向かう光の輝度が均等化される。
【００１６】
上記課題を解決するためになされた請求項２記載の計器装置は、請求項１記載の計器装置において、前記均等化手段は、前記第１反射部において、前記光源に最も近い箇所に形成された、前記光源からの出射光に対する拡散面又は吸収面である、ことを特徴とする。
【００１７】
請求項２記載の発明によれば、第１反射部において、光源に最も近い箇所には、光源からの出射光に対する拡散面又は吸収面が形成されているので、この箇所で反射され第２反射部に向かう光が相対的に弱められる。すなわち、本来、文字板に向かう最も強い反射光が弱められるため、他の反射光との輝度差が縮小する。
【００１８】
上記課題を解決するためになされた請求項３記載の計器装置は、請求項２記載の計器装置において、前記均等化手段は、前記シボ面又は穿孔面である、ことを特徴とする。
【００１９】
請求項３記載の発明によれば、シボ面又は穿孔面を形成するだけの簡易な構成により、文字板の照明ムラが軽減される。
【００２０】
上記課題を解決するためになされた請求項４記載の計器装置は、請求項１記載の計器装置において、前記均等化手段は、前記第１反射部において、前記光源に最も近い箇所以外に形成された、光沢面である、ことを特徴とする。
【００２１】
請求項４記載の発明によれば、第１反射部において、光源に最も近い箇所以外には、光沢面が形成されているので、この箇所で反射され第２反射部に向かう光が相対的に強められる。このため、光源に最も近い箇所での反射光と、光源に最も近い箇所以外での反射光との輝度差が縮小する。
【００２２】
上記課題を解決するためになされた請求項５記載の計器装置は、請求項４記載の計器装置において、前記均等化手段は、型磨面又は蒸着面である、ことを特徴とする。
【００２３】
請求項５記載の発明によれば、型磨面又は蒸着面を形成するだけの簡易な構成により、文字板の照明ムラが軽減される。
【００２４】
上記課題を解決するためになされた請求項６記載の計器装置は、請求項４記載の計器装置において、前記均等化手段は、前記第１反射部において、前記光源に最も近い箇所に形成された、前記光源から出射光に対する拡散面又は吸収面である、ことを特徴とする。
【００２５】
請求項６記載の発明によれば、第１反射部において、光源に最も近い箇所には、光源からの出射光に対する拡散面又は吸収面が形成されているので、この箇所で反射され第２反射部に向かう光が相対的に弱められる。逆に、第１反射部において、光源に最も近い箇所以外には、光沢面が形成されているので、この箇所で反射され第２反射部に向かう光が相対的に強められる。このため、光源に最も近い箇所での反射光と、光源に最も近い箇所以外での反射光との輝度差がより縮小する。
【００２６】
上記課題を解決するためになされた請求項７記載の計器装置は、請求項１記載の計器装置において、前記均等化手段は、前記光源から前記第１反射部上の異なる箇所及び前記第２反射部上の異なる箇所をこの順に経由して文字板背面上の異なる箇所に至るまでの異なる光路の距離を均等化するために形成された、前記第１反射部上の凹凸面である、ことを特徴とする。
【００２７】
請求項７記載の発明によれば、第１反射部上に形成された凹凸面により、光源から第１反射部上の異なる箇所及び第２反射部上の異なる箇所をこの順に経由して文字板背面上の異なる箇所に至るまでの異なる光路の距離が均等化されている。このため、文字板背面に均等な輝度の光が照射される。
【００２８】
上記課題を解決するためになされた請求項８記載の計器装置は、請求項７記載の計器装置において、前記均等化手段は、前記第１反射部において、前記光源に対向する箇所に凹面鏡状に形成された凹面である、ことを特徴とする。
【００２９】
請求項８記載の発明によれば、第１反射部において、光源に対向する箇所には凹面鏡状の凹面が形成されているので、この箇所から光源までの距離がより遠くなって、この箇所で反射され第２反射部に向かう光が相対的に弱められる。すなわち、本来、文字板に向かう最も強い反射光が弱められるため、他の反射光との輝度差が縮小する。
【００３０】
上記課題を解決するためになされた請求項９記載の計器装置は、請求項７記載の計器装置において、前記均等化手段は、前記第１反射部において、前記光源に対向する箇所以外に凸面鏡状に形成された凸面である、ことを特徴とする。
【００３１】
請求項９記載の発明によれば、第１反射部において、光源に対向する箇所以外には凸面鏡状の凹面が形成されているので、この箇所から光源までの距離がより近くなって、この箇所で反射され第２反射部に向かう光が相対的に強められる。このため、光源に最も近い箇所での反射光と、光源に最も近い箇所以外での反射光との輝度差が縮小する。
【００３２】
上記課題を解決するためになされた請求項１０記載の計器装置は、請求項９記載の計器装置において、前記均等化手段は、前記第１反射部において、前記光源に対向する箇所に凹面鏡状に形成された凹面である、ことを特徴とする。
【００３３】
請求項１０記載の発明によれば、第１反射部において、光源に対向する箇所には凹面鏡状の凹面が形成されているので、この箇所から光源までの距離がより遠くなって、この箇所で反射され第２反射部に向かう光が相対的に弱められる。逆に、第１反射部において、光源に対向する箇所以外には凸面鏡状の凹面が形成されているので、この箇所から光源までの距離がより近くなって、この箇所で反射され第２反射部に向かう光が相対的に強められる。このため、光源に最も近い箇所での反射光と、光源に最も近い箇所以外での反射光との輝度差がより縮小する。
【００３４】
【発明の実施の形態】
以下、本発明の実施の形態を図面に基づいて説明する。
まず、図１及び図２を用いて、本発明の第１実施形態について説明する。図１は、本発明の計器装置における第１反射部近傍を拡大して示す斜視図である。図２は、図１におけるＸＸ線断面図である。
【００３５】
第１実施形態の計器装置も、例えば、車両に搭載されるコンビネーションメータの一部であるスピードメータ部に用いられているものとする。また、第１実施形態の計器装置は、例えば、上記図６に示した反射部材における第１反射部３１を、図１及び図２に示す第１反射部３０１に置き替えたものと考えてよい。換言すれば、第１実施形態は第１反射部３０１に大きな特徴を有する。
【００３６】
図１及び図２に示すように、第１実施形態の計器装置も、基板１の上に、第１反射部３０１以外は図６と同等形状の反射部材が配置され、その上には文字板４が装着され、更に文字板４上を回動する指針５が取り付けられている。
【００３７】
基板１上には、文字板４を照明するための光を出射する複数の光源２１ａ、２１ｂ、２１ｃや指針５を回転駆動させるムーブメント２２が実装されている。光源２１ａ、２１ｂ、２１ｃは、例えば、チップ型発光ダイオードからなり、基板１上に穿設された小孔１１を上に向けて貫通するムーブメント２２の回転軸２２ａを周回する同心円に、略均等間隔に複数個、配置されている。ムーブメント２２は、速度パルスに基づき生成された制御信号に応答して指針５を所定角度だけ回転させるステッピングモータからなる。基板１上には、その他の周知の電子回路部品も実装されているがここでは省略されている。
【００３８】
第１反射部３０１を含む第１実施形態の反射部材も、例えば、白色系の合成樹脂にて形成されている。第１反射部３０１は、文字板４の中央孔４２に対応した形状の開口部３０６を有する筒状部３０５から所定間隔あけてこれを周回する椀状に形成されている。詳しくは、第１反射部３０１は、文字板４に対する傾斜角が指針回転軸から外側に向かうにしたがって徐々に大きくなる傾斜曲面状になるように形成されている。すなわち、第１反射部３０１は、光源２１ａ、２１ｂ、２１ｃからの出射光を指針回転軸に対して外側方向に反射させるように形成されている。
【００３９】
詳しくは、本実施形態においては、第１反射部３０１上の、例えば、光源２１ａに最も近い箇所及びこの箇所の周囲には、シボ面３０１ａが形成されている。同様に、第１反射部３０１上の例えば光源２１ｂに最も近い箇所及びこの箇所の周囲には、他のシボ面３０１ａが形成されている。また、図示しないが、第１反射部３０１上の、例えば、光源２１ｃに最も近い箇所及びこの箇所の周囲にも、更に他のシボ面が形成されている。一方、両シボ面３０１ａ間は、型磨きや蒸着処理により、光沢面３０１ｂが形成されている。他のシボ面間も同様に、光沢面が形成されている。
【００４０】
このような構成において、所定の点灯信号に応答して光源２１ａ等が点灯すると、例えば、光源２１ａからの出射光は、文字板４の背面に直接入射したり、第２反射部３２だけで反射されて文字板４の背面に入射したり、或いは、Ｒ１１、Ｒ１２、Ｒ１３で示すように、第１反射部３０１で反射された後第２反射部３２で再度反射されて文字板４の背面に入射する。これらの作用により、文字板４上に形成された意匠４１が効率的に照明される。なお、指針照明については、図５に示した例と同様にしてもよいし、別途、指針用光源を設けるようにしてもよい。指針基部に入射した光は、反射部５１ａで反射した後、指示部５１内部で反射を繰り返しつつ先端方向に進行して指針５を所定色で光輝させる。
【００４１】
これらの作用に加えて、本実施形態では、例えば、箇所Ｐ１に対応するシボ面３０１ａによりこの箇所及びこの周囲からの反射光の輝度が弱められて（従来例と比較して）、第２反射部３２の箇所Ｃ１及びこの周囲に入射する。他のシボ面による作用も同様である。逆に、両シボ面３０１ａ間に形成された光沢面３０１ｂにより、この箇所及びこの周囲からの反射光の輝度が強められて（従来例と比較して）、第２反射部３２の箇所Ｃ２及びこの周囲に入射する。他の光沢面による作用も同様である。このため、本来、最も強いはずである光源から最短距離を経由して文字板４に向かう反射光、すなわち、箇所Ｃ１及びこの周囲で反射して文字板４に向かう反射光が弱められる一方で、これ以外の箇所Ｃ２及びこの周囲で反射して文字板４に向かう反射光が強められる。したがって、文字板４の背面に入射する光の輝度が均等化されるため、最終的に文字板の照明ムラが軽減することになる。
【００４２】
なお、図１に示す距離Ｌ１１、Ｌ１２、Ｌ２１及びＬ２２は、図７で示したものと同等であるとする。上記シボ面に替えて、複数の細孔が集合された穿孔面が形成されていてもよい。穿孔面は、入射光の一部を吸収することにより、反射光を弱める効果がある。シボ面及び穿孔面はそれぞれ、請求項２の拡散面及び吸収面に対応する。また、シボ面、穿孔面及び光沢面は、請求項１の均等化手段にも対応する。
【００４３】
また、例示したように、シボ面及び光沢面の両方を形成することが好ましいが、シボ面及び光沢面のうち、少なくとも、一方を形成するだけでも所定のバラツキ軽減効果は得られる。また、シボ面（穿孔面）と光沢面とは連続的に形成してもよいが、部分的に形成しても所定のバラツキ軽減効果は得られる。要は、第２反射部３２に反射されて文字板４に向かう光の輝度がより均等化されればよい。
【００４４】
次に、図３及び図４を用いて、本発明の第２実施形態について説明する。図３は、本発明の計器装置における第１反射部近傍を拡大して示す斜視図である。図４は、図３におけるＹＹ線断面図である。なお、第２実施形態において上記第１実施形態と共通する部分には、同一の符号を付し、重複する説明は省略する。
【００４５】
第２実施形態の計器装置も、例えば、車両に搭載されるコンビネーションメータの一部であるスピードメータ部に用いられているものとする。また、第２実施形態の計器装置も、例えば、上記図６に示した反射部材における第１反射部３１を、図３及び図４に示す第１反射部３０１′に置き替えたものと考えてよい。換言すれば、第２実施形態は第１反射部３０１′に大きな特徴を有する。
【００４６】
図３及び図４に示すように、第２実施形態の計器装置も、基板１の上に、第１反射部３０１′以外は図６と同等形状の反射部材が配置され、その上には文字板４が装着され、更に文字板４上を回動する指針５が取り付けられている。基板１上には、第１実施形態と同等の複数の光源２１ａ、２１ｂ、２１ｃやムーブメント２２が実装されている。
【００４７】
第１反射部３０１′を含む第２実施形態の反射部材も、例えば、白色系の合成樹脂にて形成されている。第１反射部３０１′も、文字板４の中央孔４２に対応した形状の開口部３０６を有する筒状部３０５から所定間隔あけてこれを周回する略椀状に形成されている。詳しくは、第１反射部３０１′は、基本的に、文字板４に対する傾斜角が指針回転軸から外側に向かうにしたがって徐々に大きくなる傾斜面状になるように形成されているが、更に光源２１ａ、２１ｂ、２１ｃとの位置関係に応じて、凹凸が形成されている。すなわち、第１反射部３０１′は、光源２１ａ、２１ｂ、２１ｃからの出射光を指針回転軸に対して外側方向に効率的かつ均等に反射させるように形成されている。
【００４８】
詳しくは、本実施形態においては、第１反射部３０１′の、例えば、光源２１ａに対向する箇所Ｐ１′は凹面鏡状の凹面３０１ｃが形成されている。対向する箇所Ｐ１′は、例えば、図１における光源２１ａと箇所Ｐ１とを結ぶ線を、第１反射部３０１′の内部方向に延長した線上の一箇所とする。凹面３０１ｃは、この箇所Ｐ１′を中心とする凹面鏡状に形成されている。同様に、第１反射部３０１′上の他の光源２１ｂに対向する箇所や、図示しないが、他の光源２１ｃに対向する箇所にも凹面３０１ｃが形成されている。逆に、各凹面間の箇所Ｐ２′には、凸面鏡状の凸面３０１ｄが形成されている。これら凹面３０１ｃ及び凸面３０１ｄは、図７で示したような距離Ｌ１１＋Ｌ１２と、距離Ｌ２１＋Ｌ２２と、の間の差を縮小させるためのものである。更には、これらに第２反射部から文字板４に至るまでの距離も加えた距離の差を縮小させるためのものである（請求項７に対応）。
【００４９】
例えば、凹面３０１ｃにより、光源２１から第１反射部３０１′上の箇所Ｐ１′までの距離Ｌ１１′と、この箇所Ｐ１′から第２反射部３２上の箇所Ｃ１までの距離Ｌ１２′との和は、上記距離Ｌ１１＋Ｌ１２より長くなる。逆に、凸面３０１ｄにより、光源２１から第１反射部３０１′上の箇所Ｐ２′までの距離Ｌ２１′と、この箇所Ｐ２′から第２反射部３２上の箇所Ｃ２までの距離Ｌ２２′との和は、上記距離Ｌ２１＋Ｌ２２より短くなる。他の凹面及び凸面に対しても同様のことがいえる。すなわち、光源から第１反射部３０１′上の異なる箇所、この箇所から第２反射部３２に至る各光路の距離差が、縮小することになる。更には、これらに第２反射部３２上の上記箇所から文字板４に至るまでの距離も加えた距離の差が、縮小することになる。
【００５０】
このような構成において、所定の点灯信号に応答して光源２１ａ等が点灯すると、例えば、光源２１ａからの出射光は、文字板４の背面に直接入射したり、第２反射部３２だけで反射されて文字板４の背面に入射したり、或いは、Ｒ１１′、Ｒ１２′、Ｒ１３′で示すように、第１反射部３０１′で反射された後第２反射部３２で再度反射されて文字板４の背面に入射する。これらの作用により、文字板４上に形成された意匠４１が効率的に照明される。なお、指針照明については、図５に示した例と同様にしてもよいし、別途、指針用光源を設けるようにしてもよい。指針基部に入射した光は、反射部５１ａで反射した後、指示部５１内部で反射を繰り返しつつ先端方向に進行して指針５を所定色で光輝させる。
【００５１】
これらの作用に加えて、本実施形態では、箇所Ｐ１′に対応する凹面３０１ｃにより、光源２１ａから第２反射部３２までの光路が長くなるので、第２反射部３２の箇所Ｃ１及びこの周囲に入射する光の輝度は弱められる（従来例と比較して）。逆に、箇所Ｐ２′に対応する凸面３０１ｄにより、光源２１ａから第２反射部３２までの光路が短くなるので、第２反射部３２の箇所Ｃ２及びこの周囲に入射する光の輝度は強められる（従来例と比較して）。このため、箇所Ｃ１及びこの周囲で反射して文字板４に向かう光が弱められる一方で、これ以外の箇所Ｃ２及びこの周囲で反射して文字板４に向かう反射光が強められる。したがって、文字板４の背面に入射する光の輝度が均等化されるため、最終的に文字板の照明ムラが軽減することになる。
【００５２】
なお、凹面３０１ｃ及び凸面３０１ｄは、請求項１の均等化手段にも対応する。例示したように凹面及び凸面の両方を形成することが好ましいが、凹面及び凸面のうち、少なくとも、一方を形成するだけでも所定のバラツキ軽減効果は得られる。また、凹面及び凸面は連続的に形成してもよいが、部分的に形成しても所定のバラツキ軽減効果は得られる。要は、各高路の距離差を調整することにより、第２反射部３２に反射されて文字板４に向かう光の輝度がより均等化されればよい。
【００５３】
このように、本発明の実施形態によれば、光源から出射され第１反射部上の異なる箇所で反射され第２反射部に反射されて文字板に向かう光の輝度が均等化される。したがって、第１反射部及び第２反射部による良好な照明効率を維持しつつ、文字板の照明ムラを軽減することができる。また、文字板４の背面に特殊な調光印刷を施したり、調光部材を設けることない簡易な構成で、文字板の照明ムラを軽減することができる。
【００５４】
なお、本発明は、上記実施形態に限定されず、その主旨を逸脱しない範囲で各種変形が可能である。例えば、本発明は、スピードメータ部以外にも適用可能であるし、或いは、車両に搭載される計器装置以外にも同様に適用可能である。また、上記第１実施形態と第２実施形態とを組み合わせてもよい。
【００５５】
【発明の効果】
以上説明したように、請求項１記載の発明によれば、光源から出射され第１反射部上の異なる箇所で反射され第２反射部に反射されて文字板に向かう光の輝度が均等化される。したがって、第１反射部及び第２反射部による良好な照明効率を維持しつつ、文字板の照明ムラを軽減することができる。
【００５６】
請求項２記載の発明によれば、第１反射部において、光源に最も近い箇所には、光源からの出射光に対する拡散面又は吸収面が形成されているので、この箇所で反射され第２反射部に向かう光が相対的に弱められる。すなわち、本来、文字板に向かう最も強い反射光が弱められるため、他の反射光との輝度差が縮小する。したがって、文字板の照明ムラを軽減することができる。
【００５７】
請求項３記載の発明によれば、シボ面又は穿孔面を形成するだけの簡易な構成により、文字板の照明ムラを軽減することができる。
【００５８】
請求項４記載の発明によれば、第１反射部において、光源に最も近い箇所以外には、光沢面が形成されているので、この箇所で反射され第２反射部に向かう光が相対的に強められる。このため、光源に最も近い箇所での反射光と、光源に最も近い箇所以外での反射光との輝度差が縮小する。したがって、文字板の照明ムラを軽減することができる。
【００５９】
請求項５記載の発明によれば、型磨面又は蒸着面を形成するだけの簡易な構成により、文字板の照明ムラを軽減することができる。
【００６０】
請求項６記載の発明によれば、第１反射部において、光源に最も近い箇所には、光源からの出射光に対する拡散面又は吸収面が形成されているので、この箇所で反射され第２反射部に向かう光が相対的に弱められる。逆に、第１反射部において、光源に最も近い箇所以外には、光沢面が形成されているので、この箇所で反射され第２反射部に向かう光が相対的に強められる。このため、光源に最も近い箇所での反射光と、光源に最も近い箇所以外での反射光との輝度差がより縮小する。したがって、文字板の照明ムラをより軽減することができる。
【００６１】
請求項７記載の発明によれば、第１反射部上に形成された凹凸面により、光源から第１反射部上の異なる箇所及び第２反射部上の異なる箇所をこの順に経由して文字板背面上の異なる箇所に至るまでの異なる光路の距離が均等化されている。したがって、文字板背面に均等な輝度の光が照射されるため、文字板の照明ムラを軽減することができる。
【００６２】
請求項８記載の発明によれば、第１反射部において、光源に対向する箇所には凹面鏡状の凹面が形成されているので、この箇所から光源までの距離がより遠くなって、この箇所で反射され第２反射部に向かう光が相対的に弱められる。すなわち、本来、文字板に向かう最も強い反射光が弱められるため、他の反射光との輝度差が縮小する。したがって、文字板の照明ムラを軽減することができる。
【００６３】
請求項９記載の発明によれば、第１反射部において、光源に対向する箇所以外には凸面鏡状の凹面が形成されているので、この箇所から光源までの距離がより近くなって、この箇所で反射され第２反射部に向かう光が相対的に強められる。このため、光源に最も近い箇所での反射光と、光源に最も近い箇所以外での反射光との輝度差が縮小する。したがって、文字板の照明ムラを軽減することができる。
【００６４】
請求項１０記載の発明によれば、第１反射部において、光源に対向する箇所には凹面鏡状の凹面が形成されているので、この箇所から光源までの距離がより遠くなって、この箇所で反射され第２反射部に向かう光が相対的に弱められる。逆に、第１反射部において、光源に対向する箇所以外には凸面鏡状の凹面が形成されているので、この箇所から光源までの距離がより近くなって、この箇所で反射され第２反射部に向かう光が相対的に強められる。このため、光源に最も近い箇所での反射光と、光源に最も近い箇所以外での反射光との輝度差がより縮小する。したがって、文字板の照明ムラをより軽減することができる。
【図面の簡単な説明】
【図１】本発明の計器装置における第１反射部近傍を拡大して示す斜視図である。
【図２】図１におけるＸＸ線断面図である。
【図３】本発明の計器装置における第１反射部近傍を拡大して示す斜視図である。
【図４】図３におけるＹＹ線断面図である。
【図５】この種の従来の計器装置を示す断面図である。
【図６】図５の計器装置における反射部材単体を示す斜視図である。
【図７】図６の反射部材における第１反射部を拡大して示す斜視図である。
【符号の説明】
１  基板
４  文字板
５  指針
２１ａ、２１ｂ、２１ｃ  光源
３０１、３０１′  第１反射部
３０１ａ  シボ面
３０１ｂ  光沢面
３０１ｃ  凹面
３０１ｄ  凸面
【図１】
2005024418.tif 000003
【図２】
2005024418.tif 000004
【図３】
2005024418.tif 000005
【図４】
2005024418.tif 000006
【図５】
2005024418.tif 000007
【図６】
2005024418.tif 000008
【図７】
2005024418.tif 000009